(57)【要約】【課題】出力される光の色温度を調整することができるレーザ照明装置を得る。【解決手段】それぞれが異なる色の可視光のレーザを出力する複数のレーザ光源部１１を有するレーザ光源装置１と、それぞれのレーザ光源部１１に供給される電力を制御する電力制御部８と、それぞれのレーザ光源部１１から出力されたそれぞれのレーザをミキシングする光拡散部４と、操作されることによって、光拡散部４から出力されるレーザの色温度を調節する色温度調節信号を電力制御部８に入力する色温度操作部１０１とを備え、電力制御部８は、色温度調節信号に基づいて、光拡散部４から出力されるレーザの色温度が変化するようにそれぞれのレーザ光源部１１に供給されるそれぞれの電力の間の比率を変化させる。【選択図】図２
2016085848.tif 000002
【特許請求の範囲】
【請求項１】
それぞれが異なる色の可視光のレーザを出力する複数のレーザ光源部を有するレーザ光源装置と、
それぞれの前記レーザ光源部に供給される電力を制御する電力制御部と、
それぞれの前記レーザ光源部から出力されたそれぞれのレーザをミキシングするミキシング部と、
操作されることによって、前記ミキシング部から出力されるレーザの色温度を調節する色温度調節信号を前記電力制御部に入力する色温度操作部と
を備え、
前記電力制御部は、前記色温度調節信号に基づいて、前記ミキシング部から出力されるレーザの色温度が変化するようにそれぞれの前記レーザ光源部に供給されるそれぞれの電力の間の比率を変化させることを特徴とするレーザ照明装置。
【請求項２】
前記レーザ光源装置は、赤外光のレーザを出力するレーザ光源部をさらに有し、
操作されることによって、前記ミキシング部から出力される可視光のレーザと赤外光のレーザとの間の比率を調節する赤外光比率調節信号を前記電力制御部に入力する赤外光比率操作部をさらに備え、
前記電力制御部は、前記赤外光比率調節信号に基づいて、前記ミキシング部から出力される可視光のレーザと赤外光のレーザとの間の比率が変化するように、可視光のレーザを出力する前記レーザ光源部に供給される電力と赤外光のレーザを出力する前記レーザ光源部に供給される電力との間の比率を変化させることを特徴とする請求項１に記載のレーザ照明装置。
【請求項３】
前記電力制御部は、電力供給時間に対応して前記ミキシング部から出力されるレーザの色温度が変化するように、それぞれの前記レーザ光源部に供給されるそれぞれの電力の間の比率を変化させることを特徴とする請求項１または請求項２に記載のレーザ照明装置。
【請求項４】
前記電力制御部は、それぞれの前記レーザ光源部に供給される電力量およびそれぞれの前記レーザ光源部から発せられるレーザの輝度を測定し、前記電力量および前記輝度の測定結果を用いて、前記ミキシング部から出力されるレーザの色温度が一定となるようにそれぞれの前記レーザ光源部に供給されるそれぞれの電力を変化させることを特徴とする請求項１から請求項３までの何れか一項に記載のレーザ照明装置。
【請求項５】
前記電力制御部は、前記電力量および前記輝度の測定結果に基づいて、前記レーザ光源部に劣化異常が発生したことを示す劣化異常信号を出力することを特徴とする請求項４に記載のレーザ照明装置。
【請求項６】
それぞれが異なる色の可視光のレーザを出力する複数のレーザ光源部を有するレーザ光源装置と、それぞれの前記レーザ光源部から出力されたそれぞれのレーザをミキシングするミキシング部とを備えたレーザ照明装置を用いたレーザ照明方法であって、
前記ミキシング部から出力されるレーザの色温度を調節する色温度調節信号に基づいて、前記ミキシング部から出力されるレーザの色温度が変化するようにそれぞれの前記レーザ光源部に供給されるそれぞれの電力の間の比率を変化させる色温度調整工程を備えたことを特徴とするレーザ照明方法。
【発明の詳細な説明】
【技術分野】
【０００１】
この発明は、レーザを出力するレーザ照明装置およびレーザ照明方法に関する。
【背景技術】
【０００２】
従来、ハロゲンランプを有し光を発する発光部と、発光部で発せられた光が通る光ファイバーケーブルと、光ファイバーケーブルを通った光が出力される投光部とを備えた照明装置が知られている（例えば、特許文献１参照）。
【先行技術文献】
【特許文献】
【０００３】
【特許文献１】特開２０１３−２５２１８５号公報
【発明の概要】
【発明が解決しようとする課題】
【０００４】
しかしながら、発光部で発せられる光はハロゲンランプによる光であるので、照明装置から出力される光の色温度を調節することができないという問題点があった。
【０００５】
この発明は、出力される光の色温度を調節することができるレーザ照明装置を提供するものである。
【課題を解決するための手段】
【０００６】
この発明に係るレーザ照明装置は、それぞれが異なる色の可視光のレーザを出力する複数のレーザ光源部を有するレーザ光源装置と、それぞれのレーザ光源部に供給される電力を制御する電力制御部と、それぞれのレーザ光源部から出力されたそれぞれのレーザをミキシングするミキシング部と、操作されることによって、ミキシング部から出力されるレーザの色温度を調節する色温度調節信号を電力制御部に入力する色温度操作部とを備え、電力制御部は、色温度調節信号に基づいて、ミキシング部から出力されるレーザの色温度が変化するようにそれぞれのレーザ光源部に供給されるそれぞれの電力の間の比率を変化させる。
【発明の効果】
【０００７】
この発明に係るレーザ照明装置によれば、電力制御部は、色温度調節信号が電力制御部に入力された場合に、色温度調節信号に基づいて、ミキシング部から出力されるレーザの色温度が変化するようにそれぞれのレーザ光源部に供給されるそれぞれの電力の間の比率を変化させるので、出力される光の色温度を調節することができる。
【図面の簡単な説明】
【０００８】
【図１】この発明の実施の形態１に係るレーザ照明装置を示す平面図である。
【図２】図１のレーザ照明装置を示すブロック図である。
【図３】図１のレーザ照明装置の動作を示すフローチャートである。
【図４】図１のレーザ照明装置の動作を示すフローチャートである。
【図５】図１のレーザ照明装置の動作を示すフローチャートである。
【発明を実施するための形態】
【０００９】
実施の形態１．
図１はこの発明の実施の形態１に係るレーザ照明装置を示す平面図である。図において、レーザ照明装置は、それぞれが異なる種類のレーザを出力する複数のレーザ光源部１１を有するレーザ光源装置１と、それぞれのレーザ光源部１１から出力されたそれぞれのレーザが通る複数の内部光ファイバーケーブル２１を有する内部ケーブル装置２と、それぞれの内部光ファイバーケーブル２１をまとめるケーブルバンド部３と、それぞれの内部光ファイバーケーブル２１を通ったそれぞれのレーザを拡散させるとともにミキシングする光拡散部（ミキシング部）４と、光拡散部４で拡散されるとともにミキシングされたレーザが通る光路部５１が形成されたインターフェイス部５と、インターフェイス部５に挿抜され、インターフェイス部５に挿入されている場合に、光路部５１を通ったレーザが通る外部光ファイバーケーブル６と、レーザ光源部１１、内部光ファイバーケーブル２１、光拡散部４およびインターフェイス部５が取り付けられる筐体７とを備えている。
【００１０】
異なる種類のレーザを出力する複数のレーザ光源部１１には、それぞれが異なる色の可視光のレーザを出力する複数のレーザ光源部１１と、赤外光（ＩＲ）のレーザを出力するレーザ光源部１１とが含まれている。異なる色の可視光のレーザとしては、赤（Ｒ）、緑（Ｇ）および青（Ｂ）のレーザが挙げられる。なお、この例では、４個のレーザ光源部１１を有するレーザ光源装置１の構成について説明するが、４個以外の複数のレーザ光源部１１を有するレーザ光源装置１であってもよく、レーザ光源装置１は、１つのレーザ光源部１１から構成されてもよい。また、内部ケーブル装置２は、レーザ光源装置１が１つレーザ光源部１１から構成されている場合に、１つの内部光ファイバーケーブル２１から構成される。
【００１１】
光拡散部４は、拡散板４１と、ロッドレンズ４２とを有している。内部光ファイバーケーブル２１を通ったそれぞれのレーザは、拡散板４１、ロッドレンズ４２の順に、光拡散部４を通る。
【００１２】
インターフェイス部５は、筐体７の側壁に取り付けられている。レーザ光源部１１は、筐体７の内部に配置されている。内部光ファイバーケーブル２１および光拡散部４は、筐体７の内部であって、筐体７の底面部に配置されている。
【００１３】
図２は図１のレーザ照明装置を示すブロック図である。図２では、内部ケーブル装置２、ケーブルバンド部３、光拡散部４、インターフェイス部５、外部光ファイバーケーブル６および筐体７を省略している。レーザ照明装置は、それぞれのレーザ光源部１１に供給される電力を制御する電力制御部８と、レーザ光源部１１に劣化異常が発生したことを警報する劣化警報部９と、作業者に操作される操作装置１０とをさらに備えている。
【００１４】
電力制御部８は、それぞれのレーザ光源部１１に供給される電力量と、それぞれのレーザ光源部１１から発せられるレーザの輝度とを測定する。また、電力制御部８は、それぞれのレーザ光源部１１から発せられるレーザの輝度が目標値となるように、それぞれのレーザ光源部１１に供給される電力を制御する。レーザ光源部１１の劣化が始まると、劣化前と同じ電力量がレーザ光源部１１に供給される場合に、レーザ光源部１１から発せられる光の輝度が低下する。したがって、電力制御部８は、レーザ光源部１１の劣化が始まると、レーザ光源部１１に供給される電力量を増加させる。また、電力制御部８は、レーザ光源部１１に供給される電力量が予め設定された値である設定値を超えた場合に、レーザ光源部１１に劣化異常が発生したことを示す劣化異常信号を出力する。ここで、劣化異常としては、レーザ光源部１１の交換が必要な異常が挙げられ、予め設定される値である設定値としては、レーザ光源部１１の交換が必要な値が挙げられる。
【００１５】
劣化警報部９は、表示部（図示せず）を有している。劣化警報部９は、電力制御部８から劣化異常信号が入力される場合に、レーザ光源部１１に劣化異常が発生したことを表示部に表示して、レーザ光源部１１に劣化異常が発生したことを警報する。また、劣化警報部９は、レーザ光源部１１に劣化異常が発生した場合に、複数のレーザ光源部１１の中から劣化異常が発生したレーザ光源部１１を特定して表示する。これにより、作業者は劣化異常が発生したレーザ光源部１１を容易に把握することができる。
【００１６】
操作装置１０は、操作されることによって、光拡散部４から出力されるレーザの色温度を調節する色温度調節信号を電力制御部８に入力する色温度操作部１０１と、操作されることによって、光拡散部４から出力される可視光のレーザと赤外光のレーザとの間の比率を調節する赤外光比率調節信号を電力制御部８に入力する赤外光比率操作部１０２とを有している。
【００１７】
電力制御部８は、色温度調節信号が電力制御部８に入力された場合に、色温度調節信号に基づいて、光拡散部４から出力されるレーザの色温度が変化するようにそれぞれのレーザ光源部１１に供給されるそれぞれの電力の間の比率を変化させる。また、電力制御部８は、赤外光比率調節信号が電力制御部８に入力された場合に、赤外光比率調節信号に基づいて、光拡散部４から出力される可視光のレーザと赤外光のレーザとの間の比率が変化するように、可視光のレーザを出力するレーザ光源部１１に供給される電力と赤外光のレーザを出力するレーザ光源部１１に供給される電力との間の比率を変化させる。
【００１８】
また、電力制御部８は、タイマー（図示せず）を有している。また、電力制御部８は、レーザ光源部１１への電力供給時間に対応して変化する色温度のパターンを示す色温度パターンテーブルが記憶されている。色温度パターンテーブルには、複数の色温度のパターンが含まれている。色温度パターンテーブルには、色温度のパターンを任意に設定することができる。図示しない操作部が操作されることによって、色温度パターンテーブルに含まれる複数の色温度のパターンの中から１つの色温度のパターンが設定される。電力制御部８は、設定された色温度のパターンに基づいて、電力供給時間に対応して光拡散部４から出力されるレーザの色温度が変化するように、それぞれのレーザ光源部１１に供給されるそれぞれの電力の間の比率を変化させる。
【００１９】
図３は図１のレーザ照明装置の動作を示すフローチャートである。まず、光拡散部４から出力されるレーザの色温度の変化および光拡散部４から出力される可視光のレーザと赤外光のレーザとの間の比率の変化について説明する。
【００２０】
まず、電力制御部８は、色温度調節信号を受信したか否かを判定する（ステップＳ１０１）。ステップＳ１０１で、電力制御部８が色温度調節信号を受信した場合、電力制御部８は、色温度調節信号に基づいて、光拡散部４から出力されるレーザの色温度が変化するようにそれぞれのレーザ光源部１１に供給されるそれぞれの電力の間の比率を変化させる（色温度調節工程）（ステップＳ１０２）。
【００２１】
その後、電力制御部８は、赤外光比率調節信号を受信したか否かを判定する（ステップＳ１０３）。ステップＳ１０３で、電力制御部８が赤外線比率調節信号を受信した場合、電力制御部８は、赤外線比率調節信号に基づいて、光拡散部４から出力される可視光のレーザと赤外光のレーザとの間の比率が変化するように、可視光のレーザを出力するレーザ光源部１１に供給される電力と赤外光のレーザを出力するレーザ光源部１１に供給される電力との間の比率を変化させる（赤外光比率調節工程）（ステップＳ１０４）。
【００２２】
ステップＳ１０１で、電力制御部８が色温度調節信号を受信していない場合、ステップＳ１０３に進む。ステップＳ１０３で、電力制御部８が赤外線比率調節信号を受信していない場合、そのまま、レーザ照明装置の動作が終了する。
【００２３】
図４は図１のレーザ照明装置の動作を示すフローチャートである。次に、色温度パターンテーブルに含まれる複数の色温度のパターンの中から１つの色温度のパターンが設定された場合について説明する。
【００２４】
まず、電力制御部８は、電力供給時間に対応して光拡散部４から出力されるレーザの色温度を変化させる色温度のパターンが設定されているか否かを判定する（ステップＳ２０１）。ステップＳ２０１で、色温度のパターンが設定されていないと判定された場合には、そのまま終了する。
【００２５】
一方、ステップＳ２０１で色温度のパターンが設定されている場合には、色温度のパターンに基づいて、電力供給時間に対応して光拡散部４から出力されるレーザの色温度が変化するようにそれぞれのレーザ光源部１１に供給されるそれぞれの電力の間の比率を変化させる（色温度調節工程）（ステップＳ２０２）。
【００２６】
図５は図１のレーザ照明装置の動作を示すフローチャートである。次に、レーザ光源部１１の劣化異常の検出について説明する。
【００２７】
まず、電力制御部８は、それぞれのレーザ光源部１１に供給される電力量とそれぞれのレーザ光源部１１から発せられるレーザの輝度とを測定し、レーザ光源部１１に供給される電力量が予め設定された値である設定値を超えたか否かを判定する（ステップＳ３０１）。ステップＳ３０１で、レーザ光源部１１に供給される電力量が予め設定された値である設定値を超えていないと判定された場合には、そのまま終了する。
【００２８】
一方、ステップＳ３０１で、レーザ光源部１１に供給される電力量が予め設定された値である設定値を超えたと判定された場合には、電力制御部８は、劣化異常信号を出力する（ステップＳ３０２）。
【００２９】
その後、劣化警報部９は、劣化異常信号を受信して、レーザ光源部１１に劣化異常が発生したことを警報する（ステップＳ３０３）。
【００３０】
以上説明したように、この発明の実施の形態１に係るレーザ照明装置によれば、電力制御部８は、色温度調節信号が電力制御部８に入力された場合に、色温度調節信号に基づいて、光拡散部４から出力されるレーザの色温度が変化するようにそれぞれのレーザ光源部１１に供給されるそれぞれの電力の間の比率を変化させるので、出力される光の色温度を調節することができる。これにより、例えば、特定の波長の光のみを反射する物体に対して特定の波長のレーザを当てることができる。
【００３１】
また、レーザ光源装置１は、赤外光のレーザを出力するレーザ光源部１１を有し、レーザ照明装置は、操作されることによって、光拡散部４から出力される可視光のレーザと赤外光のレーザとの間の比率を調節する赤外光比率調節信号を電力制御部８に入力する赤外光比率操作部１０２をさらに備え、電力制御部８は、赤外光比率調節信号に基づいて、光拡散部４から出力される可視光のレーザと赤外光のレーザとの間の比率が変化するように、可視光のレーザを出力するレーザ光源部１１に供給される電力と赤外光のレーザを出力するレーザ光源部１１に供給される電力との間の比率を変化させるので、出力されるレーザにおける可視光のレーザと赤外光のレーザとの間の比率を調節することができる。
【００３２】
また、電力制御部８は、電力供給時間に対応して光拡散部４から出力されるレーザの色温度が変化するように、それぞれのレーザ光源部１１に供給されるそれぞれの電力の間の比率を変化させるので、例えば、作業者の目の疲労に対応して、レーザ照明装置から出力されるレーザの色温度を変化させることができる。
【００３３】
また、電力制御部８は、それぞれのレーザ光源部１１に供給される電力量およびそれぞれのレーザ光源部１１から発せられるレーザの輝度を測定し、電力量および輝度の測定結果を用いて、光拡散部４から出力されるレーザの色温度が一定となるようにそれぞれのレーザ光源部１１に供給されるそれぞれの電力を変化させるので、レーザ照明装置から出力されるレーザの色温度を一定にすることができる。
【００３４】
また、電力制御部８は、電力量および輝度の測定結果に基づいて、レーザ光源部１１に劣化異常が発生したことを示す劣化異常信号を出力するので、レーザ光源部１１に劣化異常が発生したことを外部に報知することができ、レーザ照明装置が突然に消灯することを低減させることができる。
【００３５】
また、この発明の実施の形態１に係るレーザ照明方法によれば、光拡散部４から出力されるレーザの色温度を調節する色温度調節信号に基づいて、光拡散部４から出力されるレーザの色温度が変化するようにそれぞれのレーザ光源部１１に供給されるそれぞれの電力の間の比率を変化させる色温度調整工程を備えているので、出力される光の色温度を調節することができる。これにより、例えば、特定の波長の光のみを反射する物体に対して特定の波長のレーザを当てることができる。
【００３６】
なお、上記実施の形態１では、電力制御部８が、それぞれのレーザ光源部１１に供給される電力量およびそれぞれのレーザ光源部１１から発せられるレーザの輝度を測定し、電力量および輝度の測定結果を用いて、光拡散部４から出力されるレーザの色温度が一定となるようにそれぞれのレーザ光源部１１に供給されるそれぞれの電力を変化させる構成について説明したが、さらに、光拡散部４から出力されるレーザの輝度が一定となるようにそれぞれのレーザ光源部１１に供給されるそれぞれの電力を変化させる構成であってもよい。
【符号の説明】
【００３７】
１  レーザ光源装置、２  内部ケーブル装置、３  ケーブルバンド部、４  光拡散部（ミキシング部）、５  インターフェイス部、６  外部光ファイバーケーブル、７  筐体、８  電力制御部、９  劣化警報部、１０  操作装置、１１  レーザ光源部、２１  内部光ファイバーケーブル、４１  拡散板、４２  ロッドレンズ、５１  光路部、１０１  色温度操作部、１０２  赤外光比率操作部。
【図１】
2016085848.tif 000003
【図２】
2016085848.tif 000004
【図３】
2016085848.tif 000005
【図４】
2016085848.tif 000006
【図５】
2016085848.tif 000007